(57)【要約】【課題】本発明は、チューブ又は他の細長い要素にオブジェクトをロックするように設計されたロック装置（１１）に関し、ロックプレート（１８）とロックハウジング（１７）から構成される。チューブに固定装置を組み立てるとき、２つのロックハウジングがロックハウジングの側面に発見され、チューブの内に配向されている凹部（８）の半分に相当する寸法を有する管の周りに互いに対して開放側と一緒に置かれる軸方向。 ２ロックハウジングは、その後管の周りに閉じた幾何学的形状を形成し、ロック装置のすべての側面は、同様の穴のパターンを有する。ピン（１）を含む二つのロックプレートをロックプレートのピンの半分がそれぞれロックハウジングに組み立てることができるように、ホールパターンの嵌合ピンによって組み立てることができる。ロックプレートが一緒にロックハウジングを保持するように、ロックハウジング 'カバーの一方の中央にねじ山（７）のねじ穴（９）を適用することにより、チューブを介して同時に反対側のロックハウジングに押圧される。ロック装置は、その後、接触圧力と摩擦によって係止される。ロック装置のすべての側面に記載されている同一の孔パターンによって、同じインタフェースを使用してコンポーネントのアセンブリはロック装置の側面のすべてに、有効になっている。【選択図】図６【その他】  出願人の住所及び名称につき２０１３年３月６日付けでＰＣＴ／ＩＢ／３０６が発行されており、国内書面の表記が正しいものです。
2014503767.tif 000002
【特許請求の範囲】
【請求項１】
シェルとして形成ロックハウジング（１７）、を特徴とする長尺要素（１１）に固定するためのロック装置において使用することに適合
ａ）は、孔の周囲の軸方向延長部は、細長い要素を切断するように第一の側（５）少なくとも１つの穴が、ねじ山を備える（７）及び第一の側（５上に配置されている少なくとも三つの穴を含む）（１１） ：ロック装置は、細長い部材、ねじ山（７）に配置されたネジ孔（９）が長尺要素（１１）に適用され、ロックハウジング（１７）をさらに含むことができるように固定されているとき
ｂ）は、他の側面（１０）の凹部を備えることにより、第一の側面に略垂直な少なくとも２つの他の側面（１０）（５）、（８）は、前記細長部材（１１）を受信するように適合され、そして
ｃ）は互いに対向する他の辺（１０）は、凹部の同じ寸法および形状（８）長尺要素（１１）が、ロックハウジング（１７）を介して実行することができるようにを有し、前記他の辺（１０）ロックプレート（１８）に対応する穴や突起と接続するように適合孔（６）または突出部を備える。
【請求項２】
ロックプレート（１８）ことを特徴とする長尺要素（１１）に固定するための請求項１に記載のロックハウジング（１７）に接続されるように適合さ
ａ）は、ロックプレート（１８）は長尺要素（１１）が貫通孔（４）を自由に実行することができ板の中央に配置された貫通孔（４）と、を備える
ｂ）第一及び第二のロックハウジングを連結するための第１及び第２のロックハウジング（１７）に孔や突起で固定されるように設計された少なくとも２つの穴または突起（１）。
【請求項３】
ロック装置ことを特徴とする、請求項２に記載の請求項１に係る２のロックハウジング（１７）、および２つのロックプレート（１８）を有する細長い部材（１１）に固定するように適合。
ａ）は、２ロックハウジング（１７）が貫通孔（１２）に対応して、前記組み立てられた形状は、ロックハウジング（１７）の凹部（８）によって形成された穴（１２）を通っていることにより、幾何学的形状を形成するように組み立てることができるロック装置に固定されるように構成された長尺要素の幾何学的形状（１１）、および
ｂ）は、ロックハウジングに孔（６）または突起は、前記インターフェイスはロック装置のすべての側面上に存在する少なくとも二つの穴または２つの突出部を含むインターフェース（１４）を形成する
ｃ）のインターフェースに対応する突起（１）又は孔を有するロックプレート（１８）は、前記ロックハウジングを接続するためのロックハウジング２つの側面（１０）（１７）に組み付けることができる
ｄ）のロック装置は、軸方向延長部外周の長さが長尺体を切断するねじ穴（７）の一方（１１）に適用されるねじ（９）で長尺要素（１１）にロックされるようになっている前記
ｅ）は長尺体（１１）は、ロックプレート（１８）に張力を作成すると同時に、反対側のロックハウジング（１７）に押し付け、前記される
ｆ）のネジ（９）と長手部材（１１）との間及び突出部（１）又は穴ロックプレート上と孔（１４）又はロック・ハウジングの突起との間の接触圧力と摩擦が一緒にロック装置を保持する。
【請求項４】
ロックプレート（１８）がロック装置に付属品を接続するために雌ねじ付き貫通穴突起（１）を備える、請求項３に記載のロック装置。
【請求項５】
含む材料ラック：
ａ）はロック装置は、請求項３のいずれかに記載の４ - 、および
ｂ）は、細長い要素（１１）。
【請求項６】
請求項３のいずれかに記載のロック装置を用いて、管（１１）を接続する方法 - 図４に示すように、この方法は、
チューブ約２ロックハウジング（１７）の組み立て）（１１）
ｂ）の孔（６）またはロックハウジング（１７）内の凸部に嵌合されているロックプレート（１８）の穴（６）または突起を介してロックハウジング（１７）にロックプレート（１８）を接続し、
ねじ穴（７）に配置されたネジ（９）を締めて、管（１１）にロック装置のｃ）のロック。
【発明の詳細な説明】
【技術分野】
【０００１】
本発明は、異なる断面や寸法のチューブにアクセサリーを固定し、取り付けるための技術や物資の輸送のための技術などで包装材料等に関する重力による倉庫や組立ステーションで、。
【背景技術】
【０００２】
チューブ構造のために、ロックするデバイスは、さまざまなアプリケーションで、例えば使用されている材料ラック、テントラック、作業プラットフォームとスタンドにチューブを接続するだけでなく、チューブに付属品を接続する。
【０００３】
今日のロック装置は、新しい条件に適応するのに十分な柔軟性はありません。調整は、例えば、の調整手段試験管ラックの高さ、幅、深さ、それはまた、新しい付属品を接続することができる。アクセサリーは、新しいチューブ、または組み立て管状構造上の既存のアクセサリーの移転を含む。ほとんどのロック装置は、通常、必要な管状構造を構築し、そこにアクセサリーを取り付けるために購入する必要がありますロック装置とは、いくつかの異なった変形をもたらす機能が制限されて、持っている。管状構造は、新しい条件に調整するために再構築しなければならない場合には、すべてのロック装置を再利用できることは確かではない。コスト増や不要な廃棄物でこの結果。
【０００４】
幅、長さ、高さ、および付属品の点で適合させなければならないチューブラックの例としては、製造業で使用される材料ラックある。新製品が導入され、生産が開始された場合や生産量が変化している場合、生産ラインで、生産アイテムが保存されている倉庫での材料のファサードの再構築の必要性がある。すなわち、製造ラインに沿って、または倉庫内の材料ラックは、包装の新しいタイプを格納し、新しいバッファレベル（パッケージ数）を処理するように調整されなければならない。製品の変更、ボリューム変更がより頻繁な間隔で発生し、材料ラックを構築する方法のために、今日のソリューションは、迅速、簡単かつ効果的に新しい状況に適応するコストに十分な柔軟性がありません。
【０００５】
ローラーコンベアは一つの位置から他の重力オブジェクトの移動によってために多くの異なる用途で使用されている。例えばで材料ラックは、ローラコンベヤは、ローディングステーションから消費局に包装を輸送するために使用される。
【０００６】
新製品が導入され、生産が開始されたり、生産量が変更されたとき、生産ラインで、生産アイテムが保存されている倉庫での材料のファサードを再構築する必要がある場合。すなわち、製造ラインに沿って、または倉庫内の材料ラックや他のマテリアルハンドリングシステムは、包装の新しいタイプを格納し、新しいバッファレベル（パッケージ数）を処理するように調整されなければならない。
【０００７】
製品の変更や音量の変更はより頻繁間隔、例えば今日のローラーコンベア、で発生材料ラックｓの部分で、迅速、簡単かつ効果的に新しい状況に適応するコストに十分な柔軟性がありません。調整圧延コンベアの長さと簡単にパッケージングの新しいタイプを処理するためにローラーコンベアためにローラーコンベアで組み立てている車輪を交換する能力を調節する可能性を意味します。
【０００８】
今日のローラコンベヤは、車軸と車輪の数は鋼プロファイルに直接固定されている鋼プロファイルで構成されています。ローラコンベヤは、事前に定義された標準的な長さで販売され、配信されます。これにより、ローラコンベヤは、所望のアプリケーションに適合するようにエンドユーザに正しい長さに切断しなければならないことを意味する。ユーザーは、例えばを再構築したい場合材料ラックは、より深いそれを作ることによって、例えば、それは、ローラコンベアを延長しなければならないし、適切な長さを持つ新しいローラコンベヤを購入しなければならないことを意味する。
【０００９】
ユーザーが奥行きを削減したい場合には、ローラコンベヤは、多くの場合、再利用が困難なローラコンベヤの無駄、その結果適切な長さにカットしなければならない。
ローラコンベアの車輪を交換する必要。
【００１０】
例えば鋼プロファイルのホイール用ホイールは、それが割り込み生産と同時に、非常に長い時間がかかり、これを交換する必要があり、プラスチックのホイールからスチールホイールに切り替える。この結果は、車輪には変更されないし、実際にユーザが代わりにローラの新しいタイプを最初から組み立てられて完全に新しいローラコンベアを購入する。これはまた、他のアプリケーションで再利用することが困難であるローラコンベヤの浪費をもたらす。
【発明の概要】
【発明が解決しようとする課題】
【００１１】
後続の特許は、指定された特性は、いくつかの異なるロック機能のために使用することができると主張して、本発明は、そのロック装置によって、公知技術の問題点を解決する。ロック装置は、ロックプレートとロックハウジングで構成されている。
【課題を解決するための手段】
【００１２】
一実施形態によれば、ロックハウジングは、細長い要素に固定するためのロック装置での使用を目的とシェル状に形成されている。ロックハウジングは、ねじ山を含む少なくとも１つの穴を含み、少なくとも三つの孔を含む第一の面を有している。孔はロック装置がスレッドの穴に入れネジが長尺要素に適用することができるように、細長い要素に固定されているときに孔の周囲の軸方向延長部は、細長い要素を切断するように第１の側に配置されている、ロックハウジングは、さらに、少なくとも２つの他の側面は、実質的に第１の辺に垂直含むこと。他の側面は、細長い要素を受け取るように意図された凹部を備える。
【００１３】
互いに対向する他の側面は、ロックハウジングを介して実行するための細長い要素の順序で同じ次元と凹部の形状を有している。他の側面は穴やロックプレートの対応する穴や突起に接続されるように意図された突起部を含む。
【００１４】
また、ここで細長い要素に固定するためにロックハウジングと接続するための意図されたロックプレートが表示されます。ロックプレートは、細長い要素は、貫通孔を自由に実行できるように、プレートの中央に位置する孔を備え、接続するための第１及び第２の係止筐体の貫通孔や突起に固定するためのものでは、少なくとも二つの穴や突起第一及び第二のロックハウス。
【００１５】
一実施形態によれば、ロック装置は、細長い要素に固定するために意図されている。ロック装置は、本明細書に示した一実施形態による、本明細書に示した一実施形態による２つのロックハウジング、二のロックプレートを備えている。二つのロックハウジングは長尺要素によりロッキングデバイスが固定されるように意図されているの形状に対応する貫通孔、組み立てられた形状は、ロックハウジング内の凹部によって形成されたスルーホールを有する幾何学的形状を形成するように組み立てることができる。ロック・ハウジングの穴または突出部は少なくとも二つの穴またはインタフェースがロック装置のすべての側面上に存在する２つの突起を含む界面を形成する。インターフェイスに対応する突出部又は孔を有するロックプレートは、ロック装置が一つに適用されるねじによって長尺要素にロックされることが意図されると、ロックハウジングを接続するためのロックハウジングの両側に組み立てることができるねじ穴であり、その外周の軸方向延長部は、ロックプレートの張力を作成するように長尺要素を同時に反対側のロックハウジングに押し付けられるように、長尺要素を切断するように、接触圧および/またはネジと縦エレメントの間、およびロックハウジングに突起やロックプレートの穴と、穴や突起の間の摩擦は、一緒にロック装置を保持しています。
【００１６】
一実施形態によれば、ロックプレートがロック装置に付属品を接続するために雌ねじ付き貫通穴の突起を含む。
【００１７】
例示の実施形態によれば、ロックハウジングは一方の開口側と開放側とは反対側のカバーシェルとして成形される。カバーに、穴がパターンで配置され、パターンを形成する貫通孔に加えて、ねじ穴もある。これらの孔は、カバーにアクセサリーを取り付けるために、またはロック装置をロックするために使用することができる。他の側に、カバーし、また、ロック装置がロックさにすることができるチューブに断面の半分に対応する凹部上で検出された半穴のパターンがある。凹部は、ロックハウジングの２つの対向する側に常に同一である。これは、チューブがロックハウジングストレート実行することができます。
【００１８】
ロックプレートは、ロック装置が接続されなければならないことを管は、貫通孔を自由に実行できるように真ん中に穴を持っています。これは、ロックハウジングの凹部に対して代わりに組み立てる際にチューブがロックプレートにリーンしないことを保証します。ロックプレートは、ロック・ハウジングのカバーの穴と同じパターンに従って配置されるピンを有している。
【００１９】
チューブにロック装置を組み立てると、２つのロックハウジングはチューブの軸方向に配向している凹部に対応する寸法の管の周りにお互いに対して開放側で組み立てています。 ２ロックハウジングは、その後管の周りに閉じた幾何学的形状を形成し、ロック装置のすべての側面は、ロック・ハウジングのカバーの穴パターンに対応した穴パターンを有している。ロックプレートのピンの半分は、それぞれのロックハウジング内にあるように、二つのロックプレートがホールパターンのピンに嵌合することによって組み立てることができる。ロックプレートが一緒にロックハウジングを保持してロックハウジングのカバーのいずれかの中央にネジ穴にネジを印加することにより、チューブを介して同時に反対側のロックハウジングに押圧される。ロック装置は、その後、接触圧力と摩擦によって係止される。同一の孔パターンを全ての側面に記載されているように、ロック装置の側面のすべてに同じインターフェイスを介して構成要素の組み立て許可されている。
【００２０】
ロック装置を用いて、チューブにアクセサリーを取り付けるために、付属品はどちらロックプレートのピンまたはピンがアクセサリーに統合することができるとのインターフェイス上の糸の穴を通して接続することができます。
【００２１】
これは、対応する方法で、本発明を使用することなく、ロックハウジングにピンとロックプレートの穴を有すること、または締付要素の任意の他のタイプのデバイスをロックするねじを交換することも可能である。
【００２２】
本発明はまた、後続の特許は、特許請求の範囲指定された特性と、そのローラコンベアによって公知技術の問題点を解決するローラコンベアに関し、ラックや他のマテリアルハンドリングシステムのいくつかの異なる寸法のために使用することができる。ローラコンベヤは、内側および外側プロファイルなど、例えばゴムストリップのような器官の接続に組み立てられるホイール、ローラなどの臓器を含む。
【００２３】
ローラコンベヤインナー更新外形で自由に実行するので、テレスコピック機能を作成することができるの内側と外側のプロファイルが含まれています。
【００２４】
一実施形態によれば、内側および外側プロファイルは、開口部の幅が内側と外側の両方すぐに同じ幅はｃ-プロファイルの形態である。開口部側はまた、ローラ器官に組み付けされていることを車軸を受信するように設計されている凹部を有している。プロフィール上の凹部との間の距離は、ローラーコンベアでローラーの臓器の間の距離を決定します。
【００２５】
一実施形態によれば、ローラの臓器は、内側および外側プロファイルに凹部内に配置されるように意図されて車軸に組み付けられている。車軸が凹部内に配置されたときに、車軸はまた、その長手方向に互いに内側および外側プロファイルをロックする。
【００２６】
一実施形態によれば、ローラーオルガンの車軸の両端には、接続器官に組み付けられる。車軸を同時にプロファイル全体の長さで組み立てと分解するため、ローラー臓器ためにはプロファイルの凹部との間の距離に等しい距離で接続器官に組み立てられる。
【００２７】
本発明は特許請求範囲内で自由に組み合わせることができることに注意してください。
【図面の簡単な説明】
【００２８】
本発明はで添付の図面を参照しながら、同封の例示的な実施形態を用いて詳細に説明されています。
【００２９】
【図１】図１はロックハウジング
【図２】図２はロックプレート
【図３】図３はチューブ上で組み立てられたロック装置
【図４】図４は組み立てアクセサリー（伸縮接続のチューブ）を含むチューブに組み付けられたロック装置
【図５】図５はマウントされた付属品（Ｘ-カップリングチューブ）を含むチューブに組み付けロック装置
【図６】図６はすべての面上で組み立て付属品（チューブ）を使用したロック装置
【図７】図７は六角形の形をしたカバーが付いているロックハウジングの例
【図８】図８は内側と外側のプロファイルのプロファイル
【図９】図９は車軸とローラーの臓器
【図１０】図１０は臓器を接続するに組み付け車軸とローラーの臓器
【図１１】図１１はプロファイルに組み立てられたローラー臓器と臓器を結ぶ
【発明を実施するための形態】
【００３０】
以下、実施の形態の説明は、添付図面を参照して説明する。なお、図面は実施形態を説明するためのみであり、保護の範囲を限定するとはみなされないことに留意すべきである。指向性仕様は、図面に指向仕様としてのみ表示されなければならない。
【００３１】
本発明によって、ロック機能の異なる変異体が、互いに成分２つの異なるタイプを組み合わせることによって作成することができる。モジュラーベースの設計は、それは非常に単純な例の再構築／再組立を行うようになりこの筒状のラックに付属の管状ラックまたは移転。
【００３２】
本発明は、２つの異なるコンポーネントが含まれています。
- ロックハウジング
- ロックプレート
【００３３】
二つのロックハウジングや２ロックプレートが一緒にロック装置を作成します。
【００３４】
図１はロックハウジングは一実施形態によれば、ロックハウジングを特徴とする開放側とシェルとカバー５の形で閉じられた側として成形コンポーネントであることを示している。表紙にロックプレート上のピン１フォームと同じパターンを形成するホールパターンとのインタフェースがあります。これに加えて、ねじ山７の穴がある。
【００３５】
カバーの表面５に垂直なロックハウジングのすべての側面に凹部８があります。ロックハウジングの両側には、常に凹部８と同じ寸法を有する。ロックプレートのピン１があるので、これらの両側に、多くの穴６とも半分あります。これらの孔は、ロックプレート上にあるピン１に合わせ半分界面を形成する。
【００３６】
２ロックハウジングが互いに閉じたジオメトリに向かって開いている側面と一緒に組み立てている場合は、閉じた幾何学のすべての側面の穴６のパターンが形成されている。同じパターンがロックプレート上にあるピン１によって形成される。
【００３７】
２ロックハウジングが互いに向かって開いている側面と、組み立てられたとき、それが２つの組み立てロックハウジングのカバー５に垂直なすべての側面の穴を通して、凹部８で、加えて形成している。ロック装置がロックしなければならないことチューブの寸法に対応する貫通孔の大きさ。
【００３８】
２で割ったロックハウジングのカバー側に垂直な辺の数、ロック装置を扱うことができますどのように多くの異なるチューブの寸法が決定されます。例えば、正方形の形のカバーロックハウジングは、カバーに垂直であり、それは、２つの異なるチューブ寸法を扱うことができる４つの辺を有している。六角形の形のカバーロックハウジングは、カバーに垂直であり、したがって三つの異なるチューブ寸法を扱うことができる６つの側面を有している。
【００３９】
図２は、プレートが雌ねじ３とホール２の数のピン１の数とのインタフェースを有する実施例に係るロックプレートを示しています。二つのロックプレートをロックする時に２つのロックハウジングを一緒に保持するために使用される。ロックプレートは、ロックハウジングにおける半貫通孔の寸法よりも大きい寸法を有する中央に穴４を有している。このようなフック、チューブ、ローラーコンベアなどの付属品は、ピン３における雌ねじを通してネジで、ロックプレートに接続することができます。
【００４０】
ロックプレートがフラットである必要はありません。重要なことは、穴やピンを介してその機能に関しては、存在しているということです。ロックプレートはまた、付属品に組み込むことができる。
【００４１】
図３は、コンポーネントがロックハウジング上の凹部８によって形成された貫通孔の大きさに対応した寸法のチューブに固定することができるロック装置を示しています。
【００４２】
チューブ上のロック装置の組み立ては、互いに向かって開いている側面と管の周りに２ロックハウジングを組み立てることによって作られる。チューブの寸法に対応する寸法のロックハウジング０８に凹部管の軸方向に配向されなければならない。ロックプレートは、２つのロックハウジングが組み立てられるときに形成される密閉ジオメトリの両側に接続されている。ロックプレートは、２つのロックハウジングカバー５に対して垂直であり、閉じた幾何学の側にある穴６のロックプレートのピン１を嵌合することにより接続されている。ロック、カバーの中央にあるねじ７のネジ９を締めることによって行われます。ネジを締めるとき、それはロックプレートが一緒にロックハウジングをホールドとして同時に、反対側のロックハウジングに凹部８の表面にチューブを押します。ロックプレートがロックプレート上のピン１及びロックハウジング内の穴６との間の接触圧力と摩擦によって適所に保持される。チューブは三点における接触圧力と摩擦によってロック装置に固定されている、管に対してロックハウジング８の凹部内管と二面に対して０９ねじ込む。
【００４３】
ロック装置は、チューブに固定されている２つのロックハウジングと２ロックプレートで構成されている場合、ロック装置は、その基本的な設計になっています。その基本的な設計では、付属品は、ロックプレートが組み立てられること両側に接続することができる。
【００４４】
図４は、閉じた形状に覆って５管の軸方向と直交する方向に垂直な二つのロックハウジングによって形成された閉じた幾何学形状の側部に組み付けロックプレートを示しており、これには、例えばために使用されてもよいテレスコピック機能を使用する場合、軸方向に互いに寸法の異なる２つのチューブをロックする。内側チューブ１５は、閉鎖ジオメトリを介して実行され、外側チューブ１６、内側チューブ上で実行され、ロックプレートの一方に取り付けられている。
【００４５】
ロックプレートを閉じた幾何学のカバー５にチューブと垂直に平行な両側に接続されている場合、ＴまたはＸの形で結合が作成できること。図５に示すように、もしチューブは、ロックプレートに取り付けられている。
【００４６】
図６は、より多くの付属品は、ロック装置の他の側面に組み立てられたロックプレートを介して接続された一実施形態を示す。彼らはまた、カバー内のスレッド７まで組み立てることができた。
【００４７】
図７は、ロック装置がジオメトリに応じて、さまざまなチューブ寸法を処理するために意図されている別のジオメトリを示しています。例えば、六角形のカバーをロックハウジングからなるロック装置は、３つの異なるチューブ寸法を扱うことができる。
【００４８】
ローラコンベヤの伸縮ローラーコンベア異なる長さによって、ローラの器官が組み立てられるように更新、テレスコピック機能を含んでいることによって作成することができます。モジュラーベースの設計は、例えばの再構築ができますラック非常に容易にし、ラックの寸法が変更された場合であっても再利用するローラコンベアを可能にする。
【００４９】
一実施形態によれば、伸縮ローラーコンベアは、３つの異なるモジュールが含まれています：内部のプロファイル、ローラーの臓器とアウタープロファイルおよび接続器官。
【００５０】
インナープロファイルとローラーの臓器との接続器官と組み合わせるアウター更新、伸縮ローラーコンベアを作成します。
【００５１】
図８は、プロファイルは、Ｃ-プロファイルの形でされている一つの実施形態によれば、内部プロファイル１０１と外形１０２を示す。内側のプロファイル１０１は外形１０２内で実行し、それによって伸縮関数を作成することができます。
【００５２】
代替の実施形態では、インナープロファイル１０１限り、１０１、１０２は任意の他のジオメトリにすることができますプロファイルは限り車軸とローラー臓器窪みがあるので外形１０２で自由に実行することができます。
【００５３】
プロファイル１０１、１０２は、凹部の幅は外形１０２上のように内側のプロファイル１０１に均等幅で少なくとも一つの第１の凹部１０８を含む第一の側１０３を有する。凹部の幅は、プロファイルに組み立てることができる圧延臓器の最大幅を決定します。
【００５４】
ローラー臓器例えば含み得る代替的な実施形態では、車輪、ローラーやボール。
【００５５】
プロファイルの第一側１０３ １０１、１０２は、ローラーの臓器１０６が組み立てられるように車軸１０５を受け取るように意図された少なくとも第２の凹部１０４を備えている。他の凹部１０４は、ローラコンベヤでローラの臓器１０６ 'の中心間の距離と同じ距離だけ分離されている。 １０４他の凹部との間の距離はまたプロファイルに組み立てることができるローラー器官１０６の最大直径を決定します。
【００５６】
その車軸１０５でローラーオルガン１０６はプロファイル '他の凹部１０４に配置されている場合、プロファイルは長手方向に互いにロックされています。
【００５７】
図１０は、接続器官１０７に組み付け車軸１０５でローラーの臓器ホイールの形で１０６を示しています。車軸１０５でローラーオルガン１０６がプロファイルに１０４他の凹部の間と同じ距離で接続する器官１０７に組み付けられる。車軸１０５との接続器官１０７、すべてのローラーの臓器１０６に組み付け車軸１０５でローラーの臓器１０６を持っていることによって、同時にプロファイルに組み立てたり、分解することができる。連結器官がローラコンベアの長さを調整するためにカットされているが、プロファイルの長さに沿って、いくつかの連結臓器１０７を含むローラ器官１０６と車軸１０５を配置することによって接続する器官を再利用することが常に可能である。
【００５８】
接続器官１０７に組み立てられているローラーの臓器などがある、彼らは互いに所定距離と共にホイールをリンクする予定の文字列、テープ、ゴムバンドや何かに接続されていることを参照してください。
【００５９】
入れ子式ローラコンベヤは、図示テレスコピックローラコンベアが内側プロファイル１０１、および内側プロファイル１０１がテレスコピック機能が得られるように外輪郭１０２内で実行するように設計されている外輪郭１０２を含むことによって特徴付けられる、前記第一の側１０３の内すぐ１０１および外側プロファイル１０２は、 - 少なくとも部分的にローラ臓器１０６を含むように設計された第１の凹部１０８およびローラ器官に接続された車軸１０５を受信するように設計された凹部１０４秒１０６、前記車軸１０５、プロファイル１０１ 'で互いにすぐ内側１０１および外側プロファイル１０２をロックするように設計されている。１０２長手方向。
【００６０】
一実施形態によれば、伸縮式ローラコンベアは、部分的に軸１０５に組み付けホイールを含むように設計された他の凹部１０４を有し、上述ことができる。
【００６１】
一実施形態によれば、伸縮式ローラコンベアは、部分的にローラ器官１０６を含むように意図された幅を有する縦スリット１０８を含む第一の側１０３を有する上述ことができる。
【００６２】
一実施形態によれば、伸縮式ローラコンベヤは、少なくとも二つの車軸１０５、上述したようにローラ器官１０６に接続された各一項１０５は、第１および第２の端部を含む車軸、前記第一の少なくとも一つを含むことができる又は第二の端部は、ローラコンベアの長さに少なくとも二つの車軸１０５とローラ１０６器官を組み立てることができるので、すぐ内側１０１及び外側プロファイル１０２内の凹部１０４と同じ距離に連結臓器１０７に組み立てられると同時に１０２;プロファイル１０１に解体。
【００６３】
さらに、本発明は、上記のような伸縮ローラーコンベアを含む材料のラックが含まれています。
【００６４】
上述した実施形態の説明は、限定として理解されるべきではないが、自由に特許請求の範囲内で組み合わせることができる。
【図１】
2014503767.tif 000003
【図２】
2014503767.tif 000004
【図３】
2014503767.tif 000005
【図４】
2014503767.tif 000006
【図５】
2014503767.tif 000007
【図６】
2014503767.tif 000008
【図７】
2014503767.tif 000009
【図８】
2014503767.tif 000010
【図９】
2014503767.tif 000011
【図１０】
2014503767.tif 000012
【図１１】
2014503767.tif 000013
【国際調査報告】
2014503767.tif 000014
2014503767.tif 000015
2014503767.tif 000016
2014503767.tif 000017